(57)【要約】      （修正有）【課題】環境対応に優れ、かつ計量スプーンの保形性、計量の正確性を保持した粉末洗剤入り紙容器を提供する。【解決手段】箱体１１の上面開口を覆う蓋１２を箱体１１の背面板にヒンジ結合してなる粉末洗剤Ａ入り紙容器であって、生分解性樹脂からなる計量スプーン４１を、箱体１１の正置状態において該粉末洗剤Ａに接触しない状態で内設した粉末洗剤Ａ入り紙容器である。【選択図】図４
2008110796.tif 000002
【特許請求の範囲】
【請求項１】
箱体の上面開口を覆う蓋を該箱体の背面板にヒンジ結合してなる粉末洗剤入り紙容器であって、生分解性樹脂からなる計量スプーンを、該箱体の正置状態において該粉末洗剤に接触しない状態で内設した粉末洗剤入り紙容器。
【請求項２】
該紙容器内に
計量スプーンを箱体の開口を覆う封緘紙に付設した請求項１に記載の紙容器。
【請求項３】
計量スプーンを箱体内部の上部側壁に付設した請求項１に記載の紙容器。
【請求項４】
計量スプーンを蓋の天板の内面に付設した請求項１に記載の紙容器。
【請求項５】
計量スプーンを、蓋と箱体との間に設けられた落とし蓋の上面に載置した請求項１に記載の紙容器。
【請求項６】
計量スプーンを収容した包装体を収納した請求項１に記載の紙容器。
【発明の詳細な説明】
【技術分野】
【０００１】
本発明は紙容器に関し、詳しくは、環境対応に優れ、かつ計量スプーンの保形性、計量の正確性を保持した粉末洗剤入り紙容器に関する。
【背景技術】
【０００２】
家庭用等の粉末洗剤入り紙容器として、箱体の上面開口を覆う蓋をその箱体の背面板にヒンジ結合し、開閉自在に形成してなる紙容器が汎用されている。
このような紙容器では、紙容器に粉末洗剤と計量スプーンが収納されて販売され、計量スプーンを用いて洗濯量に応じた適当の粉末洗剤が計量されている。現在用いられている計量スプーンの殆どは合成樹脂製であるが、計量スプーンについても環境対応を考慮した材質に切替えるべく生分解性樹脂の採用が検討されている。
しかし、生分解性樹脂は安定性に劣るため、粉末洗剤に接した状態で放置すると分解が進み、短期間保存でも表面にシボができる等の外観の悪化やスプーン剛性の低下が問題となり、長期間保存すると形状が損なわれるという問題がある。
【０００３】
環境対応を考慮した紙容器としては、例えば、特許文献１〜３が提案されている。特許文献１には、生分解性を有する多糖類又は蛋白質よりなる容器本体に合成樹脂のコーティング薄膜を圧着する耐水性に優れた生分解性容器の製造方法が開示されている。しかしながら、生分解性容器本体に合成樹脂をコーティングしたのでは環境対応としては不充分である。
特許文献２及び３には、容器本体の開口に封着される封緘紙の一部を計量スプーン作成用の材料とする紙容器が開示されている。しかしながら、特許文献２及び３では、計量スプーンの組み立て作業が必要であり、その組み立て方によっては計量の正確性に欠けるという問題があった。
【０００４】
【特許文献１】特開平５−２９４３３２号公報
【特許文献２】特開平１０−２９７６６５号公報
【特許文献３】特開２０００−６２７６０号公報
【発明の開示】
【発明が解決しようとする課題】
【０００５】
本発明は、環境対応に優れ、かつ計量スプーンの保形性、計量の正確性を保持した粉末洗剤入り紙容器を提供することを課題とする。
【課題を解決するための手段】
【０００６】
本発明は、計量スプーンの使い安さ、保形性、計量の正確性の観点から、樹脂等の計量スプーンが好ましいことを考慮し、計量スプーンの環境対応と長期保形を可能にした粉末洗剤入り紙容器を提供する。
すなわち、本発明は、箱体の上面開口を覆う蓋を該箱体の背面板にヒンジ結合してなる粉末洗剤入り紙容器であって、生分解性樹脂からなる計量スプーンを、該箱体の正置状態において該粉末洗剤に接触しない状態で内設した粉末洗剤入り紙容器である。
【発明の効果】
【０００７】
本発明の粉末洗剤入り紙容器は、計量スプーンが生分解性樹脂からなるので、製品全体として環境対応性に優れている。また、生分解性樹脂からなる計量スプーンを、箱体の正置状態において粉末洗剤に接触しない状態で配置したので、粉末洗剤により侵されて外観が悪化したり、形状が損なわれることを防止できる。
【発明を実施するための最良の形態】
【０００８】
本発明の粉末洗剤入り紙容器は、箱体の上面開口を覆う蓋を該箱体の背面板にヒンジ結合してなる紙容器であって、生分解性樹脂からなる計量スプーンを、該箱体の正置状態において該粉末洗剤に接触しない状態で内設したことを特徴とする。
【０００９】
紙容器の実施の形態について、図面を参照して説明する。図１〜３は、公知の紙容器の開蓋状態及び閉蓋状態の概略を示す図である。図４〜８は、本発明の粉末洗剤入り紙容器の種々の態様を示す図である。
紙容器１０は、図１〜３に示すように、箱体１１と蓋１２とからなり、箱体１１は上面に開口１１Ｅを有している。その開口１１Ｅは、封緘紙１３が正面板１１Ａ、背面板１１Ｂ、両側板１１Ｃからなる全開口縁部の外側面及び／又は全開口縁部の天面部分、又は蓋１２の天板１２Ｄの箱体１１との結合部における内面部分を含む所定巾の範囲に貼着され、蓋１２の天板１２Ｄの内面と封緘紙１３とによって密封され、流通・保管段階において内容物である粉体洗剤等の漏れを防止し、密閉性を高めて湿気から粉体洗剤等を保護している。
紙容器には通常５００ｇ〜２．５ｋｇ、好ましくは１〜２ｋｇ程度の粉末洗剤を収納する。粉末洗剤の種類には特に制限はなく、柔軟剤や漂白剤が混在するものであってもよい。また、紙容器は概ね直方体形状で天面の短手方向の幅が大人の手で掴める程度のいわゆるコンパクトサイズが好ましい。
【００１０】
箱体１１の素材としては、環境対応性、廃棄時の焼却性の観点から、紙単体、又は紙を主材料とするプラスチックフィルム、好ましくは生分解性樹脂からなるフィルムを内層又は中間層とする３層構造等の積層体を用いることができる。
使用する紙に特に制限はないが、取扱いの便宜上、坪量３５０〜７００ｇ／ｍ2、厚さ０．３〜１．１ｍｍであることが好ましい。
箱体１１は、前記素材を折り曲げて組立てたものであり、正面板１１Ａ、背面板１１Ｂ、両側板１１Ｃ、底板１１Ｄを有し、上面に開口１１Ｅを有する。図１の形態の場合、箱体１１は、正面板１１Ａ、背面板１１Ｂ、両側板１１Ｃを上端辺で内側に折り返し接着してある。この場合、内側に折り返し接着された内折り板で、箱体１１の係合挿入部３１を背面から覆い、内容物の漏れを防止することができる。
【００１１】
蓋１２の素材は、箱体１１と同様に、紙単体、又は紙を主材料としプラスチックフィルムを内層又は中間層とする積層体であることが好ましい。
蓋１２は、前記素材を折り曲げて組立てたものであり、前板１２Ａ、後板１２Ｂ、両側板１２Ｃ、天板１２Ｄを有する。蓋１２は、箱体１１の背面板１１Ｂに接着されるヒンジ結合部１２Ｅを後板１２Ｂに備え、箱体１１の開口１１Ｅを覆う。
図３に示すように、蓋１２は、箱体１１の背面板１１Ｂを延長し、背面板１１Ｂの上端辺にヒンジ罫線を設け、内側に折り返してヒンジ結合した形態とすることもできる。この形態の場合、通常、箱体１１の正面板１１Ａ及び両側板１１Ｃは、それらの上端辺で内側に折り返して接着される。
【００１２】
蓋１２の前板１２Ａには基端部（略中央部下縁）を介してつまみ片２２を突出させて形成する。未使用状態においては、蓋１２は、つまみ片２２の裏面においてタックシール、又は接着剤等によって箱体１１の糊付け部２３に貼着固定されており、初回使用時に糊付け部２３を剥がすことにより、蓋１２と箱体１１をつなぐヒンジ結合部１２Ｅを回動支点として開閉できるようになっている。また、閉蓋時に、蓋１２のつまみ片２２と相対する位置に係合挿入部３１が形成されている。
かかる紙容器に粉末洗剤を入れて流通させる場合は、通常、計量スプーンも収納する。そこで、本発明においては、計量スプーンを生分解性樹脂からなるものとし、計量スプーンが粉末洗剤に接触しない状態で紙容器内に内設する。
【００１３】
計量スプーンの材料である生分解性樹脂は特に制限されない。例えば、化学合成系、微生物産生系、天然系等の生分解性樹脂を用いることができる。
化学合成系の生分解性樹脂としては、ポリ乳酸、ポリカプロラクトン、ポリブチレンサクシネート、ポリ（ブチレンサクシネート／アジペート）、ポリ（ブチレンサクシネート／カーボネート）、ポリ（ブチレンサクシネート／テレフタレート）、ポリ（ブチレンアジペート／テレフタレート）、ポリ（テトラメチレンアジペート／テレフタレート）、ポリ（アジペート／テレフタレート）、ポリ（ブチレンサクシネート／アジペート／テレフタレート）、ポリエチレンサクシネート、ポリビニルアルコール、ポリアスパラギン酸等が挙げられる。
【００１４】
また、微生物産生系の生分解性樹脂としては、ポリヒドロキシブチレート等が挙げられ、天然系の生分解性樹脂としては、修飾デンプン、酢酸セルロース、デンプン／化学合成生分解性樹脂、キトサン／セルロース／デンプン等が挙げられる。
上記生分解性樹脂は、単独で又は２種以上を混合して使用することができるが、環境対応性の観点から、ポリ乳酸等の植物由来の生分解性樹脂や、天然系の生分解性樹脂の方が、石油由来の生分解性樹脂よりも好ましい。
【００１５】
これらの中では、ＪＩＳ Ｋ ６９５０に規定される生分解度ＤRが６０％以上である生分解性樹脂を用いることがより好ましい。生分解度ＤRは、定量分析が可能な樹脂ついては、試料樹脂の残存量から次式により算出することができる。
【００１６】
【数１】
2008110796.tif 000003
【００１７】
また、生分解性樹脂からなる計量スプーンの強度等を調整するために無機充填材を配合することもできる。無機充填材としては、タルク、炭酸カルシウム、酸化カルシウム、石灰、貝殻粉砕物又はこれらの焼成物等が挙げられる。その他、粘土鉱物、層状珪酸塩化合物、粒状シリカ化合物、酸化チタン、炭、ゼオライト化合物、珪藻土やそれらをアンモニウム塩等の界面活性剤により有機化処理や有機シランカップリング処理したものを用いることもできる。
計量スプーンを生分解性樹脂製とすることにより、廃棄段階で土壌に埋めたり、簡単に焼却できるため、二酸化炭素排出量や消費エネルギーを削減すること等ができ、将来的に枯渇する可能性のある石油資源に依存しない循環型の紙容器を提供できる。
【００１８】
図４は、本発明の粉末洗剤入り紙容器１０の未使用状態（閉蓋状態）の一例を示す縦断面模式図である。図４において、計量スプーン４１は、箱体１１の開口を覆う封緘紙１３の内面に、その底部を接着剤等により接着することにより付設され、粉末洗剤Ａに接触しない状態に保持されている。この状態で、粉末洗剤入り紙容器１０を流通、保管していても、計量スプーン４１は粉末洗剤Ａに接触しにくいので、計量スプーン４１が粉末洗剤Ａにより侵されて外観が悪化したり、形状が損なわれるには至らない。
【００１９】
図５は、本発明の粉末洗剤入り紙容器１０の別形態（開蓋状態）を示す図であり、（ａ）はその平面模式図、（ｂ）はその縦断面模式図である。この場合、粉末洗剤入り紙容器１０の未使用状態（閉蓋状態）においては、計量スプーン４１は、箱体１１の開口を覆う封緘紙１３によって仕切られた箱体１１の内部の上部側壁に付設されている。
図５（ａ）（ｂ）は、蓋１２が完全に開放され、蓋１２の天板１２Ｄの内面が表われた図であり、箱体１１の上面の開口を覆う封緘紙１３は完全に除去されている。計量スプーン４１は、箱体１１の背面板１１Ｂの上部側壁に、その底部を接着剤等により接着することにより付設され、粉末洗剤Ａに接触しない状態に保持されている。
なお、計量スプーン４１と粉末洗剤Ａの間に封緘紙１３を設けることもできる。
【００２０】
（同封の図６の入れ替えをお願いします）
図６は、本発明の粉末洗剤入り紙容器１０の別形態を示す縦断面模式図である。図６において、計量スプーン４１は、蓋１２の天板１２Ｄの内面に付設され、粉末洗剤Ａに接触しない状態に保持されている。すなわち、図６において、蓋１２の高さを高くすることによって天板１２Ｄと箱体１１の開口を覆う封緘紙１３との間には所定の空間を設け、その間に計量スプーン４１を内設している。この際、図６に示すように、計量スプーン４１の底部を、蓋１２の天板１２Ｄの内面に接着剤等により接着することにより付設し、粉末洗剤Ａに接触しない状態に保持することができる。
【００２１】
図７は、本発明の粉末洗剤入り紙容器１０の別形態を示す縦断面模式図である。図７において、計量スプーン４１は、蓋１２と箱体１１との間に設けられた落とし蓋４２の上面に載置され、粉末洗剤Ａに接触しない状態に保持されている。図７の紙容器１０によれば、落とし蓋４２が封緘紙と同様の効果を奏し、流通・保管段階において内容物である粉体洗剤等の漏れを防止しつつ、密閉性を高め湿気から粉末洗剤Ａを保護している。
落し蓋４２は、箱体１１の上端領域において接着され、箱体１１の内側に計量スプーン４１を収納可能な高さの凹部を備えている。落し蓋４２は、好ましくは、その周縁において箱体１１の上端縁部に接着され、更に好ましくは、落し蓋４２の周縁が箱体１１の外周面の上端縁部において接着されて箱体１１の上端部と密着する構造とする。
なお、計量スプーン４１は、輸送時における固定化のために、落し蓋４２の凹部底面又は側壁や、蓋１２の天板１２Ｄの内壁に接着又は係止して付設することもできる。
落し蓋４２の素材は、前記の生分解性樹脂からなるフィルム、箱体１１や蓋１２と同様の素材である紙単体、又は紙を主材料とし生分解性樹脂等からなるフィルムを内層又は中間層とする積層体が好ましい。
【００２２】
図８は、本発明の粉末洗剤入り紙容器１０の別形態を示す縦断面模式図である。図８において、計量スプーン４１は包装体４３内に収納され、この包装体４３が箱体１１内に内設され、計量スプーン４１が粉末洗剤Ａに接触しない状態に保持されている。
包装体４３の素材は特に制限されないが、環境対応性の観点から、前記の生分解性樹脂からなるフィルムを用いることが好ましい。生分解性樹脂としては、耐アルカリ性の生分解性樹脂、例えば、ポリビニルアルコール、特に、加水分解による変質を受けにくい、アニオン変性、カチオン変性、カルボン酸変性、スルホン酸変性、マレイン酸変性等の変性ポリビニルアルコールが好ましい。変性ポリビニルアルコールの変性量としては、変性ユニットの含有量が０．１〜１０モル％が好ましく、０．５〜８モル％が更に好ましく、１〜４モル％が特に好ましい。また、環境対応性の観点から、包装体４３の素材として、セルロール誘導体、例えば、ヒドロキシエチルセルロース（ＨＥＣ）、アセチルセルロース、カルボキシメチルセルロース（ＣＭＣ）等の他、紙、特に天然素材由来のワックスコーティング紙等を用いることもできる。
【００２３】
本発明の粉末洗剤入り紙容器１０は上記のように構成されているので、製品全体として環境対応性に優れており、生分解性樹脂からなる計量スプーンが粉末洗剤により侵されて外観が悪化したり、形状が損なわれることがない。
【図面の簡単な説明】
【００２４】
【図１】公知の紙容器の開蓋状態を示す斜視図である。
【図２】公知の紙容器の閉蓋状態を示す背面図である。
【図３】公知の紙容器の別形態の開蓋状態を示す斜視図である。
【図４】粉末洗剤入り紙容器の一例を示す縦断面模式図である。
【図５】粉末洗剤入り紙容器の別形態（開蓋状態）を示す図であり、（ａ）は平面模式図、（ｂ）は縦断面模式図である。
【図６】粉末洗剤入り紙容器の別形態を示す縦断面模式図である。
【図７】粉末洗剤入り紙容器の別形態を示す縦断面模式図である。
【図８】粉末洗剤入り紙容器の別形態を示す縦断面模式図である。
【符号の説明】
【００２５】
１０：紙容器
１１：箱体
１２：蓋
１３：封緘紙
４１：計量スプーン
４２：落し蓋
４３：包装体
Ａ：粉末洗剤
【図１】
2008110796.tif 000004
【図２】
2008110796.tif 000005
【図３】
2008110796.tif 000006
【図４】
2008110796.tif 000007
【図５】
2008110796.tif 000008
【図６】
2008110796.tif 000009
【図７】
2008110796.tif 000010
【図８】
2008110796.tif 000011